(57)【要約】【課題】接続する端子の極間ピッチが異なっても対応できるコネクタを提供する。【解決手段】電気機器側のピン端子７に接続される接続端子１１を保持する一対の端子ホルダー１２を薄板状の連結部１３を介して一体的に連結する。連結部１３は、可撓性の材料から形成され、両端子ホルダー１２が近接離間するように変形可能である。ピン端子７の異なる端子間ピッチに応じて、連結部１３が湾曲して両端子ホルダー１２の間隔が変わる。【選択図】  図３
2004288461.tif 000002
【特許請求の範囲】
【請求項１】
電気機器側端子に接続される接続端子を保持する複数の端子ホルダーと、隣り合う端子ホルダー同士を連結し、近接離間するように変形する連結部とを備えたことを特徴とするコネクタ。
【請求項２】
ブラウン管の速度変調コイルと回路基板とを接続するリード線用のコネクタであって、前記速度変調コイルのピン端子に接続される接続端子を保持する一対の端子ホルダーと、両端子ホルダーを連結する連結部とを備え、該連結部は、両端子ホルダーが近接離間するように変形可能とされたことを特徴とするコネクタ。
【請求項３】
前記連結部は、前記端子ホルダーと一体的に形成され、可撓性の材料からなることを特徴とする請求項１または２記載のコネクタ。
【請求項４】
前記連結部は、筒状の端子ホルダーの外面に一体的に成形された薄板からなることを特徴とする請求項１〜３記載のコネクタ。
【請求項５】
請求項１〜４のいずれかに記載のコネクタが、リード線の少なくとも一端に装着されたことを特徴とする接続線。
【発明の詳細な説明】
【０００１】
【発明の属する技術分野】
本発明は、ブラウン管の速度変調コイルのような端子間ピッチが異なる端子に接続できるコネクタに関するものである。
【０００２】
【従来の技術】
ブラウン管を用いたテレビジョン受信機は、電子ビームを走査することで画面に映像を表示しているが、映像の輪郭を明瞭にする目的で、電子ビームの水平走査速度を映像の輝度変化部分で変調するための補助偏向電流を流す速度変調コイルを設けることが行われている。この速度変調コイルの先端に接続端子が取り付けられ、接続線を介して電気回路基板と接続される。
【０００３】
リード線を接続する方法としては、図６に示すように、ピン端子にリード線を巻付けて半田付けする方法と、ピン端子が半田付けされた基板にリード線を半田付けする方法とがある。このとき、手作業にて半田付けを行うので作業効率が悪く、生産に時間を要する。
【０００４】
上記問題点を解消するのに、コネクタを用いて接続する方法がある。しかし、速度変調コイルでは、形状や仕様等によりピン端子の端子間ピッチがそれぞれ異なる。そのため、その都度コネクタを変える必要がある。
【０００５】
特許文献１では、端子間ピッチの異なるものでも接続ができるコネクタが開示されている。コネクタのハウジングを弾力性を有する軟質合成樹脂で成形し、ハウジングの挟持圧で間隔が変わるスリットを設けたものである。
【０００６】
【特許文献１】実開平６−２３１７５号公報（段落００１２〜段落００１３、図１）
【０００７】
【発明が解決しようとする課題】
ところで、特許文献１は、ハウジングに設けられたスリットの大きさによって端子間ピッチの可変距離が決まる。このコネクタでは端子間ピッチを２．０ｍｍ〜２．５ｍｍで可変される。しかし、速度変調コイルのピン端子は仕様や形状等により異なり、端子間ピッチが例えば１０ｍｍや２０ｍｍとなる場合がある。これに対応するためには、スリットの可変範囲を大きくしなければならない。スリットを大きくすると、ハウジングのサイズが大型化される。また、スリットを大きくすると、ハウジング形状を維持するための強度が必要となり、設計が困難となる。
【０００８】
そこで、本発明は、接続する端子の端子間ピッチの異なるものでも接続できるコネクタの提供を目的としている。
【０００９】
【課題を解決するための手段】
上記目的を達成するため、本発明においては、電気機器側端子に接続される接続端子を保持する複数の端子ホルダーと、隣り合う端子ホルダー同士を連結し、近接離間するように変形する連結部とを備えたことを特徴とする。上記構成によると、連結部が近接離間することで異なる端子間ピッチに対応できる。
【００１０】
連結部は、変形する形状あるいは機構とする。例えば、薄板状やジャバラ状または伸縮式ロッド等とすることができる。さらに、前記連結部は、筒状の端子ホルダーの外面に一体的に成形することもできる。端子ホルダーと連結部とを一体に形成することで、コネクタの製造工程が簡略化され製作が容易になるのでコストを削減することができる。
【００１１】
また、前記連結部は可撓性の材料とすることで、連結部を曲げたり、撓ませたりして、隣り合う端子ホルダーの端子間ピッチを可変させることができる。これにより、異なる端子間ピッチの端子に対して接続することができる。
【００１２】
また、コネクタは、速度変調コイルのピン端子と回路基板との接続線に用いることができる。接続線は、前記コネクタとリード線とから構成する。接続線は、前記コネクタを少なくとも一方に備えることで、異なる端子間ピッチに対応することができる。
【００１３】
【発明の実施の形態】
以下、本発明の実施形態を図面に基づいて説明する。図１は、ブラウン管１に速度変調コイル４を取り付けた状態を示す。映像表示デバイスであるブラウン管１には、電子ビームを水平方向及び垂直方向に走査させる偏向コイル２と、電子ビームの位置補正を行うマグネット３と、電子ビームの水平走査速度を変調するための速度変調コイル４とが取り付けられる。ブラウン管１は回路基板５に設けられたソケット６に接続される。
【００１４】
速度変調コイル４には、図４に示すように、コイルの両端に半田付けしたピン端子７が設けられており、このピン端子７に接続線８を接続することで回路基板５に接続することができる。速度変調コイル４は、仕様や形状等によりピン端子７の端子間ピッチも異なる。
【００１５】
接続線８は、図２、図３に示すように、端子間ピッチが可変するコネクタ９と、電気的に接続するリード線１０とで構成されている。リード線１０は、一端に接続端子としてのギボシ端子１１がかしめられている。
【００１６】
コネクタ９は、一対の端子ホルダー１２と、連結部１３とから構成されている。端子ホルダー１２は、ギボシ端子１１を被覆するスリーブ、いわゆる、筒状のホルダーである。連結部１３は両端子ホルダー１２を接続しており、端子ホルダー１２に一体的に形成されている。さらに、端子ホルダー１２と連結部１３は、絶縁性、弾力性等がある材料、例えばシリコーンゴムで成形した樹脂成形品である。
【００１７】
連結部１３は薄板形状とされ、前記シリコーンゴムで形成しているため、連結部１３は曲がったり、撓んだりする。従って、連結部１３が撓むことにより両端子ホルダー１２の間隔が短くなり、伸びることにより間隔が長くなる。
【００１８】
以上の構造のコネクタ９によれば、図５に示すように、速度変調コイル４のピン端子７と端子ホルダー１２とを接続する際に、連結部１３がピン端子７の端子間ピッチに応じて変形し、その連結部１３が撓むもしくは伸びる。これによって、両端子ホルダー１２の間隔を変えることができ、速度変調コイル４の仕様や形状等により異なるピン端子７の端子間ピッチに関係なく、コネクタ９を差し込むだけで接続することができる。
【００１９】
このように、変形可能な連結部１３を設けることにより、端子間ピッチの異なるピン端子７に対応することができる。そのため、接続線８の回路基板５側は、従来の半田付けや通常のコネクタを用いても差し支えない。リード線１０に色を付することでどちらの端子に挿入するかを確認することができる。また、仕様の異なるブラウン管２を使用する場合でも、同じコネクタ９を使用できるので接続線８としての汎用性が高まる。
【００２０】
以上の実施形態では、ブラウン管について例を示したが、本発明はそれに限ることなく、他の電気機器に用いることもできる。また、一対の端子ホルダーをもつ２極のコネクタの他に、３極またはそれ以外の任意の極数のコネクタにも適用できる。ピン形状も丸形状以外に、平板形状のピンを備えたコネクタにも適用できる。また、端子ホルダーと連結部を一体的に形成することはなく、材質は電気絶縁性や弾力性を有するエラストマー等の樹脂を用いてもよい。さらに、接続線は一端にコネクタを設けているが、両端に設けてもよい。
【００２１】
【発明の効果】
以上の説明から明らかな通り、本発明によれば、仕様や形状等により異なる端子の端子間ピッチに関係なくコネクタを接続することができる。従って、手作業によりリード線を速度変調コイルの接続端子に半田付けする必要がなくなるので作業工程が簡易化し、生産時間が短縮され、さらには生産コストも削減することができる。
【図面の簡単な説明】
【図１】本発明による実施形態の速度変調コイルを取り付けたブラウン管の概要図
【図２】接続線の詳細図
【図３】コネクタの詳細図
【図４】速度変調コイルの概要図を示し、（ａ）はピン端子の端子間ピッチが大きい場合を示す図、（ｂ）はピン端子の端子間ピッチが狭い場合を示す図
【図５】コネクタの端子間ピッチの変化例を示し、（ａ）は端子間ピッチが大きい場合を示す図、（ｂ）は端子間ピッチが狭い場合を示す図
【図６】従来のピン端子とリード線との接続方法を示し、（ａ）はピン端子に巻付けて半田付けをする場合を示す図、（ｂ）は基盤を介して半田付けをする場合を示す図
【符号の説明】
１    ブラウン管
４    速度変調コイル
５    回路基板
７    ピン端子
８    接続線
９    コネクタ
１０  リード線
１１  接続端子
１２  端子ホルダー
１３  連結部
【図１】
2004288461.tif 000003
【図２】
2004288461.tif 000004
【図３】
2004288461.tif 000005
【図４】
2004288461.tif 000006
【図５】
2004288461.tif 000007
【図６】
2004288461.tif 000008